(57)【要約】【課題】遊技者の好みに対応した演出をするとともに、各演出態様の出現率のバランスを取ることによって、興趣のある遊技機を提供する。【解決手段】複数の識別情報を変動表示する変動表示ゲームを行う変動表示装置を設けた遊技機において、所定の演出態様で前記変動表示ゲームの表示制御を行う変動表示制御手段と、遊技者の生体情報を検出する生体情報検出手段と、前記生体情報検出手段によって検出された生体情報を、前記変動表示ゲームに対応して取得するように制御する生体情報検出制御手段と、記憶された複数の演出態様から、振り分け率に基づいて演出態様を選択する演出態様制御手段と、を備え、前記演出態様制御手段は、前記生体情報検出制御手段によって取得された生体情報を所定の判断基準に基づいて演出態様に対応させた結果によって、振り分け率を変更する。【選択図】図７
2005052301.tif 000002
【特許請求の範囲】
【請求項１】
複数の識別情報を変動表示可能な変動表示装置を設け、前記変動表示装置で行われる変動表示ゲームの結果態様が予め定められた特別態様となったことに関連して、遊技者に特別な遊技価値を付与可能な特別遊技状態を発生させる遊技機において、
所定の演出態様で前記変動表示ゲームの表示制御を行う変動表示制御手段と、
遊技者の生体情報を検出する生体情報検出手段と、
前記生体情報検出手段によって検出された生体情報を、前記変動表示ゲームに対応して取得するように制御する生体情報検出制御手段と、
記憶された複数の演出態様から、振り分け率に基づいて演出態様を選択する演出態様制御手段と、を備え、
前記演出態様制御手段は、前記生体情報検出制御手段によって取得された生体情報を所定の判断基準に基づいて演出態様に対応させた結果によって、振り分け率を変更することを特徴とする遊技機。
【請求項２】
前記変動表示ゲームに対応して取得した生体情報を複数記憶する生体情報記憶手段と、
前記生体情報記憶手段に記憶された生体情報に基づいて、生体情報の基準値を設定する基準値設定手段と、
前記取得された生体情報の前記基準値からの変化量を、演出態様に対応して記憶する変化量記憶手段と、を備え、
前記演出態様制御手段は、
演出態様毎に取得された生体情報の前記基準値からの変化量によって振り分け率を変更し、
全ての演出態様に対応した生体情報の変化量が、前記変化量記憶手段に記憶されているときに、変化量が大きい演出態様の振り分け率が大きくなるようにすることを特徴とする請求項１に記載の遊技機。
【請求項３】
前記変動表示ゲームに対応して取得した生体情報を複数記憶する生体情報記憶手段と、
前記生体情報記憶手段に記憶された生体情報に基づいて、生体情報の基準値を設定する基準値設定手段と、
前記取得された生体情報の前記基準値からの変化量を、演出態様に対応して記憶する変化量記憶手段と、を備え、
前記演出態様制御手段は、いずれかの演出態様に対応した生体情報の変化量が、前記変化量記憶手段に記憶されてないときに、演出態様毎の振り分け率が均等になるようにすることを特徴とする請求項１に記載の遊技機。
【請求項４】
前記変動表示ゲームに対応して取得した生体情報を複数記憶する生体情報記憶手段と、
前記生体情報記憶手段に記憶された生体情報に基づいて、生体情報の基準値を設定する基準値設定手段と、
前記取得された生体情報の前記基準値からの変化量を、演出態様に対応して記憶する変化量記憶手段と、を備え、
前記演出態様制御手段は、いずれかの演出態様に対応した生体情報の変化量が、前記変化量記憶手段に記憶されてないときに、変化量が記憶されていない演出態様を選択することを特徴とする請求項１に記載の遊技機。
【請求項５】
前記演出態様制御手段は、所定条件が成立したことに関連して振り分け率を変更することを特徴とする請求項１又は２に記載の遊技機。
【請求項６】
前記変動表示ゲームが実行中か否か判定するゲーム実行中判定手段と、
前記発射操作手段が操作されているか否かを判定する操作状態判定手段、及び／又は、前記生体情報検出手段によって生体情報が検出されているか否かを判定する生体情報検出判定手段と、を備え、
前記演出態様制御手段は、所定時間継続して、前記変動表示ゲームが実行中でなく、且つ、前記生体情報が検出されておらず、及び／又は、前記発射操作手段が操作されていないときに、演出態様毎の振り分け率が均等になるようにすることを特徴とする請求項１から５のいずれか一つに記載の遊技機。
【請求項７】
前記変動表示ゲームの制御をする遊技制御手段を備え、
前記演出態様制御手段は、
前記演出態様を複数の演出態様群の何れかに属するように管理し、
前記遊技制御手段から送信された指令信号に基づいて、いずれかの前記演出態様群を選択し、
前記取得された生体情報の前記基準値からの変化量によって、前記演出態様群毎に振り分け率を変更することを特徴とする請求項２から６のいずれか一つに記載の遊技機。
【発明の詳細な説明】
【技術分野】
【０００１】
本発明は遊技球を発射して遊技を行う遊技機に関し、特に、遊技者の生体情報を利用して高い興趣の遊技を提供する遊技機に関する。
【背景技術】
【０００２】
遊技において、遊技者の心理状態や生体情報を取得して、遊技に変化を加える遊技機が提案されている。具体的には、遊技者より採取した情報を数値処理して得たカオスアトラクターと、前記カオスアトラクターがカオスの定義条件に適合する程度を示す指数を利用することにより、遊技者の心身の状態を把握し、遊技者の心理状態に合わせて、対応を変化させることによって、より変化に富んだ対応ができる遊技機が提案されている（例えば、特許文献１参照。）。
【０００３】
また、プレーヤーの生体信号を検出する生体信号検出手段と、この生体信号を直接或いは適宜に変換した後に基準値と比較してプレーヤーの心理的状況を判別する心理判別手段と、この心理判別手段の判別結果に基づいてゲーム或いは遊技の進行内容を制御する制御手段とを含み、プレーヤーの生体情報に基づいてゲーム或いは遊技の進行内容を変更することによって、当該プレーヤーに適した内容を提供することのできるゲーム或いは遊技施設が提案されている（例えば、特許文献２参照。）。
【特許文献１】特開平６−１３４０９８号
【特許文献２】特開平８−１９１９５５号
【発明の開示】
【発明が解決しようとする課題】
【０００４】
しかし、遊技に対する好みは遊技者毎に異なっており、従来の遊技機のように、遊技者の心理的状況を判別した結果に基づいて遊技の進行内容を変更しても、必ずしも個々の遊技者に適した変更がされるとは限らない。
【０００５】
また、遊技における各演出に対応する遊技者の心理状態を記憶して、その記憶内容に基づいて演出態様を決定した場合には、演出の出現率が偏ってしまうことがあり、各演出態様の信頼度も変わってしまう。すなわち、パチンコ機などの遊技機では、頻繁に出現する演出態様の信頼度が低くなってしまい、その演出をすることが遊技に対する興趣を低下させる問題を生じることがある。
【０００６】
本発明は、遊技者の好みに対応した演出をするとともに、各演出態様の出現率のバランスを取ることによって、興趣のある遊技機を提供することを目的とする。
【課題を解決するための手段】
【０００７】
第１の発明は、複数の識別情報を変動表示可能な変動表示装置を設け、前記変動表示装置で行われる変動表示ゲームの結果態様が予め定められた特別態様となったことに関連して、遊技者に特別な遊技価値を付与可能な特別遊技状態を発生させる遊技機において、所定の演出態様で前記変動表示ゲームの表示制御を行う変動表示制御手段と、遊技者の生体情報を検出する生体情報検出手段と、前記生体情報検出手段によって検出された生体情報を、前記変動表示ゲームに対応して取得するように制御する生体情報検出制御手段と、記憶された複数の演出態様から、振り分け率に基づいて演出態様を選択する演出態様制御手段と、を備え、前記演出態様制御手段は、前記生体情報検出制御手段によって取得された生体情報を所定の判断基準に基づいて演出態様に対応させた結果によって、振り分け率を変更することを特徴とする。
【０００８】
第２の発明は、第１の発明において、前記変動表示ゲームに対応して取得した生体情報を複数記憶する生体情報記憶手段と、前記生体情報記憶手段に記憶された生体情報に基づいて、生体情報の基準値を設定する基準値設定手段と、前記取得された生体情報の前記基準値からの変化量を、演出態様に対応して記憶する変化量記憶手段と、を備え、前記演出態様制御手段は、演出態様毎に取得された生体情報の前記基準値からの変化量によって振り分け率を変更し、全ての演出態様に対応した生体情報の変化量が、前記変化量記憶手段に記憶されているときに、変化量が大きい演出態様の振り分け率が大きくなるようにすることを特徴とする。
【０００９】
第３の発明は、第１の発明において、前記変動表示ゲームに対応して取得した生体情報を複数記憶する生体情報記憶手段と、前記生体情報記憶手段に記憶された生体情報に基づいて、生体情報の基準値を設定する基準値設定手段と、前記取得された生体情報の前記基準値からの変化量を、演出態様に対応して記憶する変化量記憶手段と、を備え、前記演出態様制御手段は、いずれかの演出態様に対応した生体情報の変化量が、前記変化量記憶手段に記憶されてないときに、演出態様毎の振り分け率が均等になるようにすることを特徴とする。
【００１０】
第４の発明は、第１の発明において、前記変動表示ゲームに対応して取得した生体情報を複数記憶する生体情報記憶手段と、前記生体情報記憶手段に記憶された生体情報に基づいて、生体情報の基準値を設定する基準値設定手段と、前記取得された生体情報の前記基準値からの変化量を、演出態様に対応して記憶する変化量記憶手段と、を備え、前記演出態様制御手段は、いずれかの演出態様に対応した生体情報の変化量が、前記変化量記憶手段に記憶されてないときに、変化量が記憶されていない演出態様を選択することを特徴とする。
【００１１】
第５の発明は、第１又は第２の発明において、前記演出態様制御手段は、所定条件が成立したことに関連して振り分け率を変更することを特徴とする。
【００１２】
第６の発明は、第１から第５の発明において、前記変動表示ゲームが実行中か否か判定するゲーム実行中判定手段と、前記発射操作手段が操作されているか否かを判定する操作状態判定手段、及び／又は、前記生体情報検出手段によって生体情報が検出されているか否かを判定する生体情報検出判定手段と、を備え、前記演出態様制御手段は、所定時間継続して、前記変動表示ゲームが実行中でなく、且つ、前記生体情報が検出されておらず、及び／又は、前記発射操作手段が操作されていないときに、演出態様毎の振り分け率が均等になるようにすることを特徴とする。
【００１３】
第７の発明は、第２から第６の発明において、前記変動表示ゲームの制御をする遊技制御手段を備え、前記演出態様制御手段は、前記演出態様を複数の演出態様群の何れかに属するように管理し、前記遊技制御手段から送信された指令信号に基づいて、いずれかの前記演出態様群を選択し、前記取得された生体情報の前記基準値からの変化量によって、前記演出態様群毎に振り分け率を変更することを特徴とする。
【発明の効果】
【００１４】
第１の発明では、複数の識別情報を変動表示可能な変動表示装置を設け、前記変動表示装置で行われる変動表示ゲームの結果態様が予め定められた特別態様となったことに関連して、遊技者に特別な遊技価値を付与可能な特別遊技状態を発生させる遊技機において、所定の演出態様で前記変動表示ゲームの表示制御を行う変動表示制御手段と、遊技者の生体情報を検出する生体情報検出手段と、前記生体情報検出手段によって検出された生体情報を、前記変動表示ゲームに対応して取得するように制御する生体情報検出制御手段と、記憶された複数の演出態様から、振り分け率に基づいて演出態様を選択する演出態様制御手段と、を備え、前記演出態様制御手段は、前記生体情報検出制御手段によって取得された生体情報を所定の判断基準に基づいて演出態様に対応させた結果によって、振り分け率を変更するので、遊技者が好む（遊技者の興奮が高まる）リーチ変動表示を多く行うことで興趣のある遊技機を提供することができる。
【００１５】
第２の発明では、前記変動表示ゲームに対応して取得した生体情報を複数記憶する生体情報記憶手段と、前記生体情報記憶手段に記憶された生体情報に基づいて、生体情報の基準値を設定する基準値設定手段と、前記取得された生体情報の前記基準値からの変化量を、演出態様に対応して記憶する変化量記憶手段と、を備え、前記演出態様制御手段は、演出態様毎に取得された生体情報の前記基準値からの変化量によって振り分け率を変更し、全ての演出態様に対応した生体情報の変化量が、前記変化量記憶手段に記憶されているときに、変化量が大きい演出態様の振り分け率が大きくなるようにするので、遊技者毎に適切な状態を判定することができると共に、遊技者が好む（遊技者の興奮が高まる）リーチ変動表示を多く行うことで興趣のある遊技機を提供することができる。
【００１６】
第３の発明では、前記変動表示ゲームに対応して取得した生体情報を複数記憶する生体情報記憶手段と、前記生体情報記憶手段に記憶された生体情報に基づいて、生体情報の基準値を設定する基準値設定手段と、前記取得された生体情報の前記基準値からの変化量を、演出態様に対応して記憶する変化量記憶手段と、を備え、前記演出態様制御手段は、いずれかの演出態様に対応した生体情報の変化量が、前記変化量記憶手段に記憶されてないときに、演出態様毎の振り分け率が均等になるようにするので、遊技者の好みに基づかない、演出態様の不自然な選択を防止することができる。
【００１７】
第４の発明では、前記変動表示ゲームに対応して取得した生体情報を複数記憶する生体情報記憶手段と、前記生体情報記憶手段に記憶された生体情報に基づいて、生体情報の基準値を設定する基準値設定手段と、前記取得された生体情報の前記基準値からの変化量を、演出態様に対応して記憶する変化量記憶手段と、を備え、前記演出態様制御手段は、いずれかの演出態様に対応した生体情報の変化量が、前記変化量記憶手段に記憶されてないときに、変化量が記憶されていない演出態様を選択するので、全ての演出態様に対応した変化量を速やかに記憶させることができ、早く遊技者が好むリーチ変動表示を多く行うことができる。
【００１８】
第５の発明では、前記演出態様制御手段は、所定条件が成立したことに関連して振り分け率を変更するので、遊技者は長時間の遊技することによって出現率の高いリーチに対して飽きてくるので、所定期間ごとに振り分け率を変更することによって、遊技者を飽きさせない、興趣のある遊技機を提供することができる。
【００１９】
第６の発明では、前記変動表示ゲームが実行中か否か判定するゲーム実行中判定手段と、前記発射操作手段が操作されているか否かを判定する操作状態判定手段、及び／又は、前記生体情報検出手段によって生体情報が検出されているか否かを判定する生体情報検出判定手段と、を備え、前記演出態様制御手段は、所定時間継続して、前記変動表示ゲームが実行中でなく、且つ、前記生体情報が検出されておらず、及び／又は、前記発射操作手段が操作されていないときに、演出態様毎の振り分け率が均等になるようにするので、遊技の中断によって遊技者の交代を検出して基準値を再設定することから、遊技者毎の好みに合わせた演出をすることができる。すなわち、遊技の中断を検出すると、変化量記憶領域を消去することによって、振り分け率が均等になり、他の遊技者の好みが反映した演出がされることがない。
【００２０】
第７の発明は、前記変動表示ゲームの制御をする遊技制御手段を備え、前記演出態様制御手段は、前記演出態様を複数の演出態様群の何れかに属するように管理し、前記遊技制御手段から送信された指令信号に基づいて、いずれかの前記演出態様群を選択し、前記取得された生体情報の前記基準値からの変化量によって、前記演出態様群毎に振り分け率を変更するので、演出態様群内で振り分け率を変更するため、演出態様群毎の出現率や期待値は変化しないので、遊技者は予め設定された期待値を考慮して遊技を行うことができる。
【発明を実施するための最良の形態】
【００２１】
以下、本発明の実施の形態について、図面に基づいて説明する。
【００２２】
図１は、本発明の実施の形態の遊技機の構成を示す正面図である。
【００２３】
遊技機（パチンコ遊技機）１の前面枠３は本体枠（外枠）４にヒンジ５を介して開閉回動可能に組み付けられ、遊技盤６は前面枠３の裏面に取り付けられた収納フレームに収納される。また、前面枠３には遊技盤６の前面を覆う前面構成部材（カバーガラス）１８が設けられている。
【００２４】
遊技機１の要所（遊技盤や遊技枠）には、ランプ、ＬＥＤ等の装飾装置が設けられる。これらのランプは遊技の進行に合わせて点灯して、遊技者の遊技に対する興趣が継続するようにしている。さらに、カバーガラス１８の上部の前面枠４には、点灯により球の排出の異常等の状態を報知する第１報知ランプ３１、第２報知ランプ３２が設けられている。
【００２５】
前面枠の下部の開閉パネル２０には球を打球発射装置に供給する上皿２１が設けられている。また、開閉パネル２０の下部に設けられる固定パネル２２には打球発射装置の操作部として機能する発射ハンドル２４等が設けられている。発射ハンドル２４は、遊技機１の前面右側下部に、遊技機１の固定パネル２２に（前後方向に）垂直に又は若干の角度（例えば、上向きの角度）を有して取り付けられている。そして、発射ハンドル２４は、遊技機１の正面に遊技者が右手で操作することができる位置にあって、遊技者が右手で発射ハンドル２４を握って、発射勢調整レバーを回動させて発射操作を行うように構成されている。
【００２６】
また、固定パネル２２には下皿２３及び音出力装置（スピーカ）２７が設けられている。
【００２７】
カード球貸ユニット２用の操作パネル２６は遊技機１の上皿２１の外面に形成され、カードの残高を表示するカード残高表示部（図示省略）、球貸しを指令する球貸しスイッチ２８、カードの返却を指令するカード返却スイッチ３０等が設けられている。
【００２８】
遊技機１に併設されるカード球貸ユニット２は、前面のカード挿入部２５に挿入されたカード（プリペイドカード等）のデータをカードリーダライタで読み込み、カード球貸ユニット用の操作パネル２６のカード残高表示部にカードの残高を表示する。遊技者が球貸しスイッチ２８を操作すると、操作に対応した数量の遊技球を貸球として排出するように、排出発射制御装置２００に対し貸球制御指令信号を送出して、排出ユニットと流路切換ユニットとを制御して貸球を排出する。
【００２９】
図２は、本発明の実施の形態の遊技機（パチンコ遊技機）の遊技盤６の正面図である。
【００３０】
遊技盤６の表面には、ガイドレールで囲われた遊技領域が形成され、遊技領域のほぼ中央には画像表示装置（特別図柄表示装置）８が設けられるセンターケース１１が配置され、遊技領域の下方には大入賞口を備えた変動入賞装置１０が配置される。また、遊技領域には方向転換部材１２、一般入賞口１５、始動口１６、普通変動入賞装置９等が配置されている。
【００３１】
画像表示装置８は、例えば、ＬＣＤ（液晶表示器）、ＣＲＴ（ブラウン管）等で表示画面部分が構成されている。表示画面の画像を表示可能な領域（表示領域）には、複数の変動表示領域が設けられており、各変動表示領域に識別情報（特別図柄、普通図柄）や変動表示ゲームを演出するキャラクタが表示される。すなわち、表示画面の左、中、右に設けられた変動表示領域には、識別情報として割り当てられた図柄（例えば、「０」〜「９」までの数字及び「Ａ」、「Ｂ」の英文字による１２種類の図柄）が変動表示（可変表示）して変動表示ゲームが行われ、画像表示装置８は可変表示装置として機能する。その他、表示画面には遊技の進行に基づく画像が表示される。
【００３２】
センターケース１１の下方には、普通変動入賞装置（普通電動役物）９を有する始動口１６が配置される。始動口１６の左右両側の所定の位置には、普通図柄始動ゲート１４が配置される。
【００３３】
本実施の形態の遊技機では、打球発射装置５５０（図３参照）から遊技領域に向けて遊技球（パチンコ球）が打ち出されることによって遊技が行われ、打ち出された遊技球は、遊技領域内の各所に配置された風車等の方向転換部材１２によって転動方向を変えながら遊技領域を流下し、始動口１６、一般入賞口１５又は特別変動入賞装置１０に入賞するか、遊技領域の最下部に設けられたアウト口から排出される。一般入賞口１５への遊技球の入賞は、一般入賞口毎に備えられたＮ個の入賞センサ５１．１〜５１．Ｎ（図３参照）により検出される。
【００３４】
始動口１６、一般入賞口１５、特別変動入賞装置（大入賞口）１０に遊技球が入賞すると、入賞した入賞口に応じた数の賞球が排出装置４００（図３参照）から排出され、遊技盤６の下方に設けられた上皿２１に供給される。
【００３５】
始動口１６へ遊技球の入賞があると、画像表示装置８では、前述した数字等で構成される識別情報が順に変動表示する変動表示ゲームが開始し、変動表示ゲームに関する画像が表示される。始動口１６への入賞が所定のタイミングでなされたとき（具体的には、入賞検出時の特別図柄乱数カウンタ値が当たり値であるとき）には大当たり状態となり、三つの識別情報が揃った状態（大当たり図柄）で停止する。このとき、特別変動入賞装置１０は、大入賞口ソレノイド１０Ａ（図３参照）への通電によって、大入賞口が所定の時間（例えば、３０秒）だけ、遊技球を受け入れない閉状態（遊技者に不利な状態）から遊技球を受け入れやすい開状態（遊技者に有利な状態）に変換される。すなわち、大入賞口が所定の時間だけ大きく開くので、この間遊技者は多くの遊技球を獲得することができるという遊技価値が付与される。
【００３６】
さらに、特定の大当たりの組み合わせ（例えば、奇数のぞろ目）になると、特定遊技状態となり、大当たり遊技（特別遊技状態）終了後に、大当たり図柄の導出確率が通常よりの高められる確率変動状態（特別遊技状態の発生に対して遊技者に有利に作用する特定遊技状態）が発生する。確率変動状態になると、普通図柄の変動表示時間が通常よりも短くなり（３０秒から５秒に短縮され）、普通図柄が当たりとなった場合に、普通変動入賞装置９の開放時間が通常よりも長くなる（０．５秒から３秒に延長される、なお、繰り返し開放してもよい）。確率変動状態中には通常遊技状態中よりも始動口への入賞が容易となり、通常遊技状態中よりも始動記憶数を増加することができる。
【００３７】
また、確率変動終了後の１００回の変動表示ゲームにおいて、普通図柄の時短遊技が行われる。
【００３８】
始動口１６への遊技球の入賞は、特別図柄始動センサ５２（図３参照）によって検出される。この遊技球の通過タイミングによって抽出された特別図柄乱数カウンタ値は、遊技制御装置１００内の所定の記憶領域（特別図柄入賞記憶領域）に、特別図柄入賞記憶として所定回数（例えば、最大で連続した５０回分）を限度に記憶される。なお、特別図柄入賞記憶数の上限を設けないこともできる。この特別図柄入賞記憶の記憶数は、画像表示装置８の周囲のセンターケース１１に設けられた特別図柄記憶状態表示器１９に表示される。遊技制御装置１００は、特別図柄入賞記憶に基づいて、画像表示装置８にて変動表示ゲームを行う。
【００３９】
特別変動入賞装置１０への遊技球の入賞は、カウントセンサ５４、継続センサ５５（図３参照）によって検出される。
【００４０】
普通図柄始動ゲート１４への遊技球の通過があると、画像表示装置８の一部に設けられた普通図柄表示領域では、普通図柄の変動表示を開始する。遊技制御装置１００は普通図柄入賞記憶に基づいて、普通図柄に関する当たりの抽選を行う。すなわち、普通図柄始動ゲート１４への通過検出が所定のタイミングでなされたときには（具体的には、通過検出時の普通図柄乱数カウンタ値が当たり値であるときには）、普通図柄に関する当たり状態となり、普通図柄が当たり図柄で停止する。このとき、始動口１６の手前に設けられた普通変動入賞装置９は、普通電動役物ソレノイド９Ａ（図３参照）への通電により、始動口１６への入口が所定の時間（例えば、０．５秒）だけ拡開するように変換され、遊技球の始動口１６への入賞可能性が高められる。
【００４１】
普通図柄始動ゲート１４への遊技球の通過は、普通図柄始動センサ５３（図３参照）で検出される。この遊技球の通過タイミングによって抽出された普通図柄乱数カウンタ値は、遊技制御装置１００内の所定の記憶領域（普通図柄入賞記憶領域）に、普通図柄入賞記憶として所定回数（例えば、最大で連続した４回分）を限度に記憶される。この普通図柄入賞記憶の記憶数は画像表示装置８に設けられた普通図柄記憶状態表示領域に表示される。
【００４２】
図３は、本発明の実施の形態の遊技機の遊技制御装置１００を中心とする制御系の一部を示すブロック図である。
【００４３】
遊技制御装置１００は、遊技を統括的に制御する主制御装置であり、遊技制御を司るＣＰＵ、遊技制御のための不変の情報を記憶しているＲＯＭ及び遊技制御時にワークエリアとして利用されるＲＡＭを内蔵した遊技用マイクロコンピュータ１０１、入出力インターフェース１０２等から構成される。遊技制御装置１００は遊技制御手段として機能する。
【００４４】
遊技用マイクロコンピュータ１０１には外部通信用端子１０４が設けられており、外部通信用端子１０４からは、遊技用マイクロコンピュータ１０１に一意に設定された識別番号が出力可能であり、この外部通信用端子１０４に検査装置や管理用コンピュータ（いわゆる、ホールコン）を接続することで、遊技機を識別することができる。
【００４５】
遊技用マイクロコンピュータ１０１は、入出力インターフェース１０２を介しての各種検出装置（一般入賞口センサ５１．１〜５１．Ｎ、特別図柄始動センサ５２、普通図柄始動センサ５３、カウントセンサ５４、継続センサ５５）からの検出信号を受けて、大当たり抽選等、種々の処理を行う。そして、入出力インターフェース１０２を介して、各従属制御装置（演出制御装置１５０、排出発射制御装置２００）、普通電動役物ソレノイド９Ａ、大入賞口ソレノイド１０Ａ等に指令信号を送信して、遊技を統括的に制御する。
【００４６】
演出制御装置１５０は、表示制御用ＣＰＵ１５１、ＶＤＰ（Video Display Processor）１５６等から構成され、画像表示装置８に対して出力するＲＧＢ信号を生成する。また、演出制御装置１５０は、遊技枠や遊技盤に設けられた装飾装置（装飾ランプ、装飾ＬＥＤ等）の点灯を制御する。また、演出制御装置１５０は、スピーカ２７から出力される効果音を制御する。
【００４７】
遊技制御装置１００から演出制御装置１５０には、表示制御指令信号として変動表示コマンド、識別情報コマンド、確定コマンド、デモ表示コマンド、ファンファーレコマンド、大当たりコマンド、エラーコマンド等が送信される。さらに、通常の遊技状態、確率変動状態、変動時間短縮状態などの遊技状態の違いによって表示態様を変化させるための指令信号が送信される。
【００４８】
排出発射制御装置２００は、遊技制御装置１００からの賞球指令信号に基づいて、排出装置４００の動作を制御し賞球を排出させる。また、カード球貸ユニット２からの貸球要求信号に基づいて、排出装置４００の動作を制御し貸球を排出させる。
【００４９】
なお、遊技制御装置１００から、各従属制御装置（演出制御装置１５０、排出発射制御装置２００）への通信は、遊技制御装置１００から従属制御装置に向かう単方向通信のみが許容されるようになっている。これにより、遊技制御装置１００に従属制御装置側から不正な信号が入力されることを防止することができる。
【００５０】
生体情報センサ５６は、圧電素子による箔状圧力センサであり、血流の変化（脈拍）によって生じる生体表面の圧力変化を検出する。
【００５１】
タッチセンサ２４ａは、発射ハンドル２４の操作中に遊技者の手が常に接触している箇所に設けられており、遊技者が発射ハンドル２４に触れていることを検出する。発射停止スイッチ２４ｂは、遊技者が打球の発射を止めるためにストップボタンを操作したことを検出する。
【００５２】
遊技機の電源供給装置２５０は、電源回路の他に、バックアップ電源部と停電監視回路とを備えている。停電監視回路は、電源装置の電圧降下を検出すると、遊技制御装置１００等に対して停電検出信号とリセット信号とを順に出力する。遊技制御装置１００は、停電検出信号を受けると所定の停電処理を行い、リセット信号を受けるとＣＰＵの動作を停止する。バックアップ電源部は、遊技制御装置１００等のＲＡＭにバックアップ電源を供給して、遊技データ（遊技情報、遊技制御情報：変動表示ゲーム情報を含む）等をバックアップする。
【００５３】
図４は、本発明の実施の形態の遊技機の演出制御装置１５０のブロック図である。
【００５４】
演出制御装置１５０は、表示制御用ＣＰＵ１５１、プログラム等を格納したＲＯＭ１５２、表示制御用ＣＰＵの動作時のワークエリアや、画像表示装置８に表示される画像データを一時的に記憶するフレームバッファが設けられたＲＡＭ１５３、ＶＤＰ（Video Display Processor）１５６、画像データ（図柄データ、背景画データ、動画キャラクタデータ、テクスチャデータ等）を格納したフォントＲＯＭ１５７、同期信号やストローブ信号を発生させるクロック信号を生成する発振器１５８等から構成され、変動表示ゲームの表示制御を行う変動表示制御手段として機能する。
【００５５】
表示制御用ＣＰＵ１５１は、ＲＯＭ１５２に記憶されたプログラムを実行し、遊技制御装置１００からの表示制御指令信号（表示制御コマンド）に基づいて、遊技状態に応じた変動表示ゲームのための画像制御情報（スプライトデータやポリゴンデータ等で構成される図柄表示情報、背景画面情報、動画オブジェクト画面情報等）を演算して、画像表示装置８に表示する画像信号を生成するようにＶＤＰ１５６に指示する。
【００５６】
ＶＤＰ１５６は、フォントＲＯＭ１５７に記憶された画像データ及び表示制御用ＣＰＵ１５１が画像制御情報を演算した内容に基づいて、例えば、画像のポリゴン描画（または、通常のビットマップ描画）を行うとともに、各ポリゴンに所定のテクスチャを貼り付けてフレームバッファとしてのＲＡＭ１５３に記憶する。そして、ＶＤＰ１５６は、ＲＡＭ１５３に記憶された画像を所定のタイミング（Ｖ＿ＢＬＡＮＫ割込信号、垂直同期信号Ｖ＿ＳＹＮＣ、水平同期信号Ｈ＿ＳＹＮＣのタイミング）で画像表示装置８へ送信する。
【００５７】
ＶＤＰ１５６は、点描画、線描画、トライアングル描画、ポリゴン描画、テクスチャマッピング、アルファブレンディング、シェーディング処理（グローシェーディングなど）、陰面消去（Ｚバッファ処理など）等の描画処理を行う。これらの描画処理がされた画像信号は、ＶＤＰ１５６は、描画した画像データをフレームバッファとしてのＲＡＭ１５３へ一旦格納された後、同期信号（Ｖ＿ＢＬＡＮＫ割込信号など）に合わせて、γ補正回路１５９を介して画像表示装置８に出力する。このフレームバッファは、複数をＲＡＭ１５３に設定しておき、ＶＤＰ１５６は任意の画像に重ね合わせて（オーバーレイ）出力することも可能である。
【００５８】
ＶＤＰ１５６には、クロック信号を供給する発振器１５８が接続されている。発振器１５８が生成するクロック信号はＶＤＰ１５６の動作周期を規定し、また、ＶＤＰ１５６では、発振器１５８から出力されるクロック信号に基づいて、垂直同期信号（Ｖ＿ＳＹＮＣ）及び水平同期信号（Ｈ＿ＳＹＮＣ）が生成され、画像表示装置８へタイミング信号として出力される。
【００５９】
ＶＤＰ１５６から出力されるＲＧＢ信号は、γ補正回路１５９に入力されている。このγ補正回路１５９は、画像表示装置８の信号電圧に対する照度の非線形特性を補正して、画像表示装置８の表示照度を調整して、画像表示装置８に対して出力するＲＧＢ信号を生成する。
【００６０】
演出制御装置１５０の、遊技制御装置１００との接続インターフェースには、信号伝達方向規制手段であるバッファ１６０が設けられ、遊技制御装置１００と演出制御装置１５０との間の通信は、遊技制御装置１００から演出制御装置１５０への信号入力のみが許容され、演出制御装置１５０から遊技制御装置１００への信号出力を禁止している。これにより、演出制御装置１５０から遊技制御装置１００に不正な信号が入力されることを防止することができる。なお、遊技制御装置１００と演出制御装置１５０との間で双方向通信を行う場合には、バッファ１６０に双方向バッファを用いることもできる。
【００６１】
図５は、本発明の実施の形態の発射ハンドル２４の斜視図である。
【００６２】
発射ハンドル２４は、遊技球を発射する発射装置を操作する発射操作手段として機能し、発射スイッチ、タッチセンサ２４ａ、発射停止スイッチ２４ｂ、生体情報センサ５６が設けられている。
【００６３】
発射スイッチは、発射勢調整レバー２４１の回動操作を検出する。検出された発射勢調整レバー２４１の回動量は、排出発射制御装置に入力され、遊技球の発射勢が制御される。発射停止スイッチ２４ｂは、ストップボタンが操作されたことを検出する。ストップボタンの操作が検出されたことによって出力されるストップ信号が、排出発射制御装置に入力されると、遊技球の発射が停止制御される。
【００６４】
タッチセンサ２４ａは、発射ハンドル２４の周囲の発射勢調整レバー２４１の後側（又は、ハンドル２４キャップ２４２）等の、発射ハンドル２４の操作中に遊技者の手が常に接触している箇所に設けられており、遊技者が発射ハンドル２４に触れているときにタッチ信号を出力する。タッチ信号は排出発射制御装置２００に入力され、タッチ信号の出力中に遊技球を発射することができる。
【００６５】
従って、遊技者が発射ハンドル２４に触れながら、発射勢調整レバー２４１を回動させることによって、ストップ信号、タッチ信号、発射勢信号が排出発射制御装置２００に入力され、排出発射制御装置２００からは発射モータ駆動信号が出力される。打球発射装置５５０は発射モータ駆動信号を受信すると、球発射モータを駆動して打球を発射する。
【００６６】
生体情報センサ５６は、圧電素子による箔状圧力センサであり、発射ハンドル２４の指掛け部２４３の内面に設けられており、血流の変化（脈拍）によって生じる生体表面の圧力変化を電圧変化に変換して、脈拍を測定する。なお、生体情報センサ５６は、発射ハンドル２４の指掛け部２４３に限らず、遊技者の掌が触れるハンドル２４キャップ２４２、遊技者の指先が触れるハンドル２４の裏面側等の、発射ハンドル２４の操作中に遊技者の手が常に接触している位置に設ければよい。
【００６７】
なお、タッチセンサ２４ａからのタッチ信号の出力中に遊技球が発射可能となっているが、生体情報センサ５６からの生体情報の検出中に遊技球を発射可能としてもよい。
【００６８】
図６は、本発明の実施の形態の発射ハンドル２４の別な実施例の斜視図である。
【００６９】
図６に示す発射ハンドル２４は、前述した発射ハンドル２４（図５）と異なり、タッチセンサ２４ａを覆うカバー２４４が設けられている。そして、カバー２４４は、指掛け部２４３に対応する位置には設けられておらず、指掛け部２４３に指を入れて、指が生体情報センサ５６に触れている状態には、タッチセンサ２４ａからの信号が得られるようになっている。
【００７０】
以上、図５、図６には箔状圧力センサによって生体情報センサ５６を構成する例について示したが、生体情報センサ５６をレーザ発光素子（例えば、赤外レーザ発光ダイオード）及びレーザ受光素子（例えば、赤外フォトトランジスタ）によって構成してもよい。この場合、発射ハンドル２４に設けられたレーザ発光素子から遊技者の手に向かって照射されたレーザ光は皮膚下約１ｍｍの体組織に入射する。レーザ受光素子は、体組織からの反射光を検出して、ドップラー効果による反射光の波長の変化量から血液の流速と流量を検出する。そして、血流量の時間的変化から脈拍を検出する。
【００７１】
なお、図５、図６には、発射ハンドル２４に生体情報センサ５６を設けた例を示したが、上皿２１の、球貸しスイッチ２８、カード返却スイッチ３０等が設けられる操作パネル２６も遊技者の手が触れる機会が多いことから、操作パネル２６に生体情報センサ５６を設けてもよい。
【００７２】
また、パチンコ機（弾球遊技機）ではなく、パチスロ機（スロットマシン遊技機）では、リールを回転させるスタートレバー、リールを停止させるリール停止スイッチ、又は、リール停止スイッチが設けられる傾斜台部に生体情報センサ５６を設けるとよい。
【００７３】
以上、遊技者の血流の測定によって、遊技者の生理状態を検出する方法について説明したが、この他に、生体情報センサ５６をＣＣＤカメラによって構成し、遊技機に正対する遊技者を撮影して、左右眼の瞳孔を検出し、瞳孔の移動を追跡して、輻輳縮瞳（近くのものを鮮明に見るために瞳孔を小さくする輻輳反射）の状態を検出することによって、遊技者の生体情報を取得することもできる。
【００７４】
また、生体情報センサ５６を発射ハンドル２４に設けた温度センサ（又は、遊技機に設けたサーモグラフィを撮影する赤外線カメラや、遊技機の正面に設置された遊技者用座席に備える温度センサ）を用いて遊技者の体温の変化を検出したり、発射ハンドル２４に設けた圧力センサを用いて遊技者の発射ハンドル２４を把持する握力の変化を検出したり、発射ハンドル２４に設けた電気抵抗センサを用いて遊技者の掌の発汗の変化を検出したり、カメラを用いて撮影した遊技者画像によって遊技者の顔色の変化を検出したり、遊技機の正面に設置された遊技者用座席に設けた荷重センサを用いて遊技者の姿勢の変化を検出することもできる。また、発汗、呼吸数、血中酸素濃度、呼気二酸化炭素濃度等の生体情報として検出できるものであって、自律神経の働きと関連あるものを検出することもできる。
【００７５】
図７は、本発明の実施の形態の表示制御のメイン処理のフローチャートであり、演出制御装置１５０において実行される。
【００７６】
メイン処理では、遊技制御装置１００から送信された表示制御指令信号を解析し画像描画を制御をし、遊技者の生体情報（脈拍数）に基づいて生体レベルを判定し、遊技制御装置１００から送信された音制御指令信号（音制御コマンド）に基づいてスピーカ２７からの効果音の出力を制御し、遊技制御装置１００から送信された装飾制御指令信号（装飾制御コマンド）に基づいて遊技機に設けられた装飾ランプ、装飾ＬＥＤの点灯を制御をする処理を行う。
【００７７】
具体的には、まず電源投入時に、演出制御装置１５０の初期設定をする初期設定処理を行う（Ｓ１０１）。そして、遊技制御装置１００から送信された表示制御指令信号（表示制御コマンド）を解析して、表示データを設定するモード分岐処理（図８）を行って、変動表示態様に応じた変動表示態様を設定する（Ｓ１０２）。そして、設定された変動表示態様の画像データを描画するスプライト処理を行う（Ｓ１０３）。
【００７８】
そして、画像データが設定され、画像転送の準備が整ったことを意味する画像転送フラグを”１”に設定する（Ｓ１０４）。
【００７９】
その後、生体情報処理（図１１）を行って、生体情報検出処理（図２２）で検出した遊技者の脈拍数から生体情報（遊技者の興奮度）を求める（Ｓ１０５）。そして、振り分け率変更処理（図１８）を行って、記憶された複数の演出態様から特定の演出態様を選択する割合（振り分け率）を、遊技者の興奮度に基づいて変更する（Ｓ１０６）。
【００８０】
そして、遊技制御装置１００からの音制御指令信号（音制御コマンド）に基づいてスピーカ２７からの効果音の出力を制御をする音処理を行う（Ｓ１０７）。
【００８１】
そして、遊技制御装置１００から送信された装飾制御指令信号（装飾制御コマンド）に基づいて遊技機に設けられた装飾ランプ、装飾ＬＥＤの点灯を制御をする演出処理を行う（Ｓ１０８）。
【００８２】
そして、画像転送フラグが”１”に設定されているか否かを判定する（Ｓ１０９）。画像転送フラグが”１”に設定されていなければ、表示データが設定されていないので、ステップＳ１０２に戻り、モード分岐処理及びスプライト処理（Ｓ１０２〜Ｓ１０３）によって表示データを設定する。一方、画像転送フラグが”１”に設定されていれば、表示データが設定されており、画像転送の準備が整っているので、ＶＢＬＡＮＫ割込処理（図１９）で、画像データ転送処理が行われて、画像転送フラグが”０”にクリアされるまでステップＳ１０９にて待機する。
【００８３】
図８は、本発明の実施の形態のモード分岐処理のフローチャートであり、メイン処理（図７のＳ１０２）から呼び出されて実行される。
【００８４】
まず、ＲＡＭ１５３に設けられるリングバッファに表示制御信号（表示制御コマンド）が記憶されているか否かを判定する（Ｓ１１１）。コマンドが記憶されていなければ、変動表示ゲームを開始する必要がないので、このモード分岐処理を終了しメイン処理に戻る。一方、リングバッファに表示制御コマンドが記憶されていれば、変動表示ゲームを開始するために、リングバッファから表示制御コマンドを読み出して（Ｓ１１２）、読み出した表示制御コマンドを解析して、表示内容に展開する（Ｓ１１３）。
【００８５】
そして、解析した表示制御コマンドが通常変動コマンドであるか否かを判定する（Ｓ１１４）。この通常変動コマンドは、複数種類のリーチ態様、複数種類の予告態様、確変中、時短中等の特別な演出態様ではない通常の演出態様で変動表示をするコマンドである。すなわち、大当たりの発生の期待度が極めて低く、遊技者が大当たりに対する期待をしないために、遊技者の興奮が低い演出で変動表示をするコマンドである。
【００８６】
この判定の結果、表示制御コマンドが通常変動コマンドであれば、通常変動フラグ１に”１”を設定して（Ｓ１１５）、ステップＳ１２３に進む。この通常変動フラグ１は、変動表示停止時に、変動表示停止コマンドに対応する変動が通常変動であるかを判定する（Ｓ１２０）のために用いられるフラグである。
【００８７】
一方、表示制御コマンドが通常変動コマンドでなければ、解析した表示制御コマンドがリーチコマンドであるか否かを判定する（Ｓ１１６）。この判定の結果、表示制御コマンドがリーチコマンドであれば、リーチ態様決定処理（図９）を実行して生体レベルに基づいたリーチ態様を決定して（Ｓ１１７）、リーチフラグを”１”に設定して（Ｓ１１８）、ステップＳ１２３に進む。このリーチフラグ１は、変動表示停止時に、変動表示停止コマンドに対応する変動がリーチ変動（リーチ状態を伴う変動）であるかを判定する（Ｓ１２４）のために用いられるフラグである。
【００８８】
一方、表示制御コマンドがリーチコマンドでなければ、解析した表示制御コマンドが変動表示停止コマンドであるか否かを判定する（Ｓ１１９）。この判定の結果、表示制御コマンドが変動表示停止コマンドでなければ、コマンド解析（Ｓ１１３）において生成された画像データをＲＡＭ１５３に設けられたフレームバッファに書き込んで画像データをセットして（Ｓ１２７）、メイン処理（図７）に戻る。
【００８９】
一方、表示制御コマンドが変動表示停止コマンドであれば、変動停止脈拍検出処理（図１１のＳ１４３）において、停止時脈拍値を算出するために変動表示停止フラグを”１”に設定する（Ｓ１２０）。そして、通常変動フラグ１が”１”に設定されているかによって、停止コマンドに対応する変動が通常変動であるか否かを判定する（Ｓ１２１）。
【００９０】
この判定の結果、通常変動フラグ１が”１”に設定されていれば、停止コマンドに対応する変動が通常変動であると判定して、通常変動フラグ２を”１”に設定し（Ｓ１２２）、通常変動フラグ１を”０”にクリアして、終了する変動表示が通常変動であることを記憶する（Ｓ１２３）。ここで、通常変動フラグ２は、直前に終了した変動表示が通常変動であるかを示すフラグであり、変動停止脈拍検出処理（図１２）の変動停止脈拍検出処理で検出した脈拍値が通常変動表示に対応する脈拍値であるかを判定するために用いられる。
【００９１】
一方、この判定の結果、通常変動フラグ１が”１”に設定されていなければ、停止コマンドに対応する変動が通常変動ではないと判定して、さらに、リーチフラグ１が”１”に設定されているかによって、停止コマンドに対応する変動がリーチ変動であるか否かを判定する（Ｓ１２４）。この判定の結果、リーチフラグ１が”１”に設定されていなければ、停止コマンドに対応する変動がリーチ変動ではないと判定して、コマンド解析（Ｓ１１３）によって生成された画像データをＲＡＭ１５３に設けられたフレームバッファに書き込んで画像データをセットして（Ｓ１２７）、メイン処理（図７）に戻る。
【００９２】
一方、この判定の結果、リーチフラグ１が”１”に設定されていれば、停止コマンドに対応する変動が通常変動であると判定して、リーチフラグ２を”１”に設定し（Ｓ１２５）、リーチフラグ１を”０”にクリアして、終了する変動表示がリーチ変動であることを記憶する（Ｓ１２６）。ここで、リーチフラグ２は、直前に終了した変動表示がリーチ変動であるかを示すフラグであり、変動停止脈拍検出処理（図１２）で検出した脈拍値が通常変動表示に対応する脈拍値であるかを判定するために用いられる。
【００９３】
そして、コマンド解析（Ｓ１１３）によって生成された画像データをＲＡＭ１５３に設けられたフレームバッファに書き込んで画像データをセットして（Ｓ１２７）、メイン処理（図７）に戻る。
【００９４】
図９は、本発明の第１の実施の形態の演出制御装置１５０で実行されるリーチ態様決定処理のフローチャートであり、モード分岐処理（図８のＳ１１７）から呼び出されて実行される。また、図１０は、リーチ態様決定処理で使用されるテーブルを説明する図である。
【００９５】
まず、ＣＰＵ１５１は、遊技制御装置１００から送信された表示制御指令信号に基づいて、どのグループのリーチ演出を行うかを決定する（Ｓ１３１）。そして、変化量記憶領域の記憶内容を検査して、決定されたリーチグループの全ての演出に対応する箇所に（当該リーチグループの全種類のリーチ演出に対応して）脈拍値の変化量が記憶されているか否かを判定する（Ｓ１３２）。
【００９６】
この判定の結果、決定されたリーチグループの全ての種類のリーチ演出に対応する箇所に脈拍値の変化量が記憶されていれば、振り分け率テーブルＢ（図１０（ｂ））を選択する（Ｓ１３３）。一方、決定されたリーチグループの一部の種類のリーチ演出に対応する箇所に脈拍値の変化量が記憶されていなければ、リーチ演出の正確な振り分けができないので、振り分け率テーブルＡ（図１０（ａ））を選択する（Ｓ１３４）。
【００９７】
そして、選択された振り分け率テーブルに規定された振り分け率に従ってリーチ態様を決定する（Ｓ１３５）。
【００９８】
図１０（ａ）は、決定されたリーチ演出のグループに対応する変化量記憶領域に脈拍値の変化量が記憶されていない場合に使用される振り分け率テーブルＡの例を示す。
【００９９】
振り分け率テーブルＡには、各リーチグループ毎に、複数の変動時間に対して複数種類のリーチを設定しておき、その中から変動時間に合致したリーチ態様を選択して、遊技制御装置１００から指定された変動時間に合致した変動表示を行う。
【０１００】
例えば、ノーマルリーチのグループには、リーチの種類としてノーマルリーチＡ、ノーマルリーチＢが記憶されており、各々１／２の振り分け率が規定されている。すなわち、ステップＳ１３１において、ノーマルリーチによるリーチ演出を行うと決定された場合に、ノーマルリーチＡとノーマルリーチＢとは等しい確率で選択される。
【０１０１】
また、スペシャルリーチのグループ、スーパースペシャルリーチのグループも、同様に、リーチの種類毎に等しい振り分け率が規定されている。なお、この振り分け率は、リーチ演出のグループ毎の合計が１になるように設定されている。
【０１０２】
図１０（ｂ）は、決定されたリーチ演出のグループに対応する変化量記憶領域に脈拍値の変化量が記憶されている場合に使用される振り分け率テーブルＢの例を示す。
【０１０３】
振り分け率テーブルＢには、脈拍値の変化量が大きいほど振り分け率が大きくなるように、各リーチの種類の振り分け率が規定されている。例えば、ノーマルリーチのグループにおいては、ノーマルリーチＢの脈拍値の変化量が”５”であり、ノーマルリーチＡの脈拍値の変化量が”３”であるため、ノーマルリーチＢの振り分け率が２／３、ノーマルリーチＡの振り分け率が１／３と、脈拍値の変化量が大きいノーマルリーチＢの振り分け率が大きくなるように、振り分け率が規定されている。
【０１０４】
すなわち、ノーマルリーチＢはノーマルリーチＡよりも、そのリーチ演出がされたときに遊技者の脈拍値が大きく（脈拍値変化量が大きく）、遊技者の興奮が高くなるので、ノーマルリーチＢの振り分け率を大きくして、ノーマルリーチＢが多く発生するようにしている。
【０１０５】
また、スペシャルリーチのグループ、スーパースペシャルリーチのグループも、同様に、脈拍値の変化量が大きいほど振り分け率が大きくなるように、各リーチの種類の振り分け率が規定されている。なお、振り分け率テーブルＢにおいても、振り分け率は、リーチ演出のグループ毎の合計が１になるように設定されている。
【０１０６】
以上説明したように、決定されたリーチグループのうち一部の種類の演出に対応する箇所に脈拍値の変化量が記憶されていない場合には、リーチの種類毎に等しい振り分け率となって、各リーチの種類が等しい確率で選択されて、リーチ演出が行われる。一方、決定されたリーチグループのうち全ての種類のリーチ演出に対応する箇所に脈拍値の変化量が記憶されている場合には、脈拍値の変化量が大きいリーチ演出ほど振り分け率が大きくなるように振り分け率が規定され、遊技者の脈拍値が高くなり、遊技者の興奮が高くなるリーチ演出が多く行われる。
【０１０７】
以上説明したように、演出制御装置１５０においてリーチ態様決定処理が行われることによって、記憶された複数の演出態様から所定の振り分け率に基づいて演出態様を選択する演出態様制御手段が構成される。
【０１０８】
図１１は、本発明の実施の形態の演出制御装置１５０で実行される生体情報処理のフローチャートであり、メイン処理（図７のＳ１０５）から呼び出されて実行される。
【０１０９】
まず、遊技中フラグが”１”に設定されているかによって、遊技中であるか否かを判定する（Ｓ１４１）。この遊技中フラグは、遊技中検出処理（図２３のＳ２７６）において、遊技者が遊技中であると判定された場合に”１”に設定され、遊技が所定時間検出されなければ”０”にクリアされる。
【０１１０】
遊技中フラグを判定した結果、遊技中でないと判定されると、遊技が中断しており、遊技者が入れ替わった可能性が高いので、初期化処理（図１７）を実行して、遊技者毎に設定された生体情報を初期化して（Ｓ１４８）、ステップＳ１４９に移行する。
【０１１１】
一方、遊技中であると判定されると、脈拍検出フラグが”０”にリセットされているにかよって、停止時脈拍値が検出されているか否かを判定する（Ｓ１４２）。この脈拍検出フラグは、変動停止脈拍検出処理（図１２のＳ１６９）において、停止時脈拍値を検出した場合に１に設定されており、Ｓ１４９において”０”にクリアされるもので、停止時脈拍値が検出されているかを示す。
【０１１２】
この判定の結果、脈拍検出フラグが”０”にリセットされていれば、停止時脈拍値が検出されていないので、変動停止時脈拍検出処理（図１２）を実行して、変動停止時の脈拍値を取得して（Ｓ１４３）、メイン処理に戻る。一方、脈拍検出フラグが０でなければ、停止時脈拍が取得されているので、ステップＳ１４４に進み、基準値が設定されているか否かを判定する（Ｓ１４４）。
【０１１３】
この判定の結果、基準値が設定されていない場合には、基準値設定処理（図１４）を実行して基準値を設定する（Ｓ１４５）。この基準値は、ステップＳ１４５で設定され、遊技が中断し、遊技者が入れ替わった可能性が高い場合に、ステップＳ１４８で初期化される。
【０１１４】
一方、基準値が設定されている場合には、ステップＳ１４６に進み、基準値と停止時脈拍値との差を判定する（Ｓ１４６）。すなわち、基準値が停止時脈拍値より大きく、かつ、基準値と停止時脈拍値との差が１０を超えていれば（基準値＞停止時脈拍値＋１０であれば）、基準値が不適切であると判断して、初期化処理（図１７）を実行して基準値をクリアする（Ｓ１４８）。一方、基準値が停止時脈拍値＋１０以下であれば（基準値≦停止時脈拍値＋１０であれば）、基準値が適切であると判断して、変化量記憶処理（図１５）を実行して、変動表示に対応する脈拍値の基準値からの変化量を記憶する（Ｓ１４７）。
【０１１５】
なお、ステップＳ１４６で基準値が停止時脈拍値より１０を超えて大きいかを判定しているのは、基準値は平常状態の脈拍値が設定されているので、基準値より停止時脈拍値が大幅に小さくなることはない。よって、基準値に比べて停止時脈拍値が大幅に小さい場合は、基準値が不適切であると判断するためである。
【０１１６】
そして、取得した停止時脈拍値を用いた処理が終了したので、脈拍検出フラグを”０”にクリアし（Ｓ１４９）、通常変動フラグ２を”０”にクリアして（Ｓ１５０）、リーチフラグ２を”０”にクリアして（Ｓ１５１）、メイン処理（図７）に戻る。
【０１１７】
以上説明したように、生体情報処理では、遊技者が遊技中でないと判定されたときに（Ｓ１４１）、基準値や最高値等の生体レベルの判定に用いられるパラメータを初期化する（Ｓ１４８）。すなわち、遊技の中断によって、遊技者の交代を検出して、基準値を初期化することによって、遊技者毎に基準値を設定することができる。また、基準値が不適切と判定されたときに（Ｓ１４６）、基準値や最高値等の生体レベルの判定に用いられるパラメータを初期化する（Ｓ１４８）。すなわち、同じ遊技者でもその日の状態で生体情報が変化するので、停止時脈拍値が低下した場合であっても、基準値を初期化して適切な基準値を設定することができる。
【０１１８】
以上説明したように、演出制御装置１５０において生体情報処理から基準値設定処理を呼び出して実行することによって、前記基準値を再設定する基準値再設定手段が構成される。
【０１１９】
図１２は、本発明の実施の形態の演出制御装置１５０で実行される変動停止脈拍検出処理のフローチャートであり、生体情報処理（図１１のＳ１４３）から呼び出されて実行される。
【０１２０】
まず、変動表示停止フラグが”１”であるかによって、変動表示が停止しているか否かを判定する（Ｓ１６１）。この変動表示停止フラグは、モード分岐処理（図８のＳ１１９）において変動表示停止コマンドを受信すると”１”に設定される。
【０１２１】
そして、変動表示停止フラグが”１”であれば、変動表示が停止していると判定し、変動表示停止時の所定時間内に脈拍を検出するための検出有効タイマをセットして（Ｓ１６２）、変動表示ゲーム回数を計数するための変動表示ゲームカウンタから”１”を減算して、変動表示ゲームカウンタを更新する（Ｓ１６３）。そして、脈拍検出のための処理が開始したので、更に変動停止に対応する処理を開始しないために変動表示停止フラグを”０”にクリアして（Ｓ１６４）、ステップＳ１６５に進む。
【０１２２】
一方、変動表示停止フラグが”１”でなければ、変動表示停止直後ではないので、ステップＳ１６２〜Ｓ１６４の処理を行うことなく、ステップＳ１６５に進む。
【０１２３】
ステップＳ１６５では、ステップＳ１６２でセットされた検出有効タイマによって、変動停止から所定時間が経過しているか否かを判定する。検出有効タイマがタイムアップしていれば、変動停止から所定時間が経過していると判定し、通常変動フラグ２を”０”にクリアし（Ｓ１６６）、リーチフラグ２を”０”にクリアし（Ｓ１６７）、この変動停止脈拍検出処理を終了する。一方、検出有効タイマがタイムアップしていなければ、変動停止から所定時間内なので、変動停止時の脈拍を検出する。
【０１２４】
この生体情報を検出するための所定時間（変動停止時の脈拍検出時間）は、変動表示ゲームの終了から、次の変動表示ゲームにおける高速変動が終了するまでの時間が定められる。すなわち、図１３に示すように、変動表示ゲームの終了から、次の変動表示ゲームにおける高速変動が終了前の時間を定める。このように所定時間を定めると、高速変動中はその変動表示によってリーチが導出されるか否かが分からないため、遊技者が発射操作を継続するためである。
【０１２５】
また、所定時間（変動停止時の脈拍検出時間）を、変動表示ゲームの終了から、次の変動表示ゲームにおける高速変動の開始までの時間を定めることができる。これは、遊技者は特別図柄入賞記憶が減ると、さらに特別図柄入賞記憶を記憶させようとするので、次の変動表示ゲームが開始すると、発射操作を開始することが多いことから、次の変動表示ゲーム開始後短い時間で生体情報を取得するのに十分だからである。
【０１２６】
また、所定時間（変動停止時の脈拍検出時間）を変動表示ゲームの終了から、次の変動表示ゲームの開始までの時間を定めることもできる。
【０１２７】
まず、脈拍値が”０”であるかによって、脈拍が検出できる状態であるか否かを判定する（Ｓ１６８）。これは、生体情報検出処理（図２２のＳ２６５）において遊技者が発射ハンドル２４から手を離した場合には、脈拍値を”０”に設定しているため、脈拍値が”０”である間は、脈拍が検出できない状態だからである。
【０１２８】
この判定の結果、脈拍値が”０”であれば、脈拍が検出できない状態であると判定し、この変動停止脈拍検出処理を終了する。
【０１２９】
一方、脈拍値が”０”でなければ、脈拍が検出できる状態であると判定し、脈拍検出フラグを”１”にして、脈拍検出フラグを設定する（Ｓ１６９）。
【０１３０】
そして、生体情報検出処理（図２２）において検出した脈拍値を停止時脈拍値に取得する（Ｓ１７０）。そして、停止時脈拍値を取得したので、検出有効タイマをタイムアップして、さらに停止時脈拍値を取得しないようにする（Ｓ１７１）。
【０１３１】
そして、変動停止脈拍検出処理を終了して、生体情報処理（図１１）に戻る。
【０１３２】
以上説明したように、変動停止脈拍検出処理では、変動表示停止（変動表示ゲームの終了）から所定時間の間に、遊技者の脈拍値を検出する。これは、変動表示ゲームがリーチ表示態様になった場合又は予告演出が行われた場合には、遊技者が発射ハンドル２４から手を離して無駄に打球を発射をしないようにして、変動表示ゲームの結果が表示されると打球の発射を再開すること、また、特別図柄入賞記憶数の上限が設定されている場合には、入賞記憶が上限数に達した時点で、遊技者が発射ハンドル２４から手を離して無駄に打球を発射をしないようにして、変動表示ゲームが終了して、入賞記憶数が減少すると打球の発射を再開することから、遊技者が発射ハンドル２４から手を離している間は生体情報が検出できないことから、変動表示ゲームが終了して所定時間経過するまでの間に生体情報を検出するようにしたものである。
【０１３３】
図１３は、本発明の実施の形態の生体情報検出のタイミング図である。
【０１３４】
図１３（ａ）は、変動表示ゲームの間に生体情報が検出された場合を示す。
【０１３５】
変動表示ゲームは、まず所定時間の低速変動（遊技者が変動する識別情報を認識可能な速度で行われる変動）の後、高速変動（遊技者が変動する識別情報を認識不可能な速度で行われる変動）に移行する。その後、変動表示態様によっては低速変動が行われて、変動表示が終了する。
【０１３６】
変動表示ゲーム１が通常の演出態様で行われた場合、変動表示ゲーム１の終了後の所定時間内に生体情報が検出され、停止時脈拍値が取得される。そして、次の変動表示ゲーム（変動表示ゲーム２）前に停止時脈拍値が取得されたら、生体レベル判定処理（図１５）で判定された生体レベルに基づいて、リーチ態様決定処理（図９）によって、変動表示ゲーム２の変動表示態様（リーチ態様）が決定され、変動表示ゲーム２が行われる。
【０１３７】
図１３（ｂ）は、次の変動表示ゲームの開始後に生体情報が検出された場合を示す。
【０１３８】
変動表示ゲーム１が通常の演出態様で行われた場合、変動表示ゲーム１の終了後の所定時間内に生体情報が検出され、停止時脈拍値が取得される。この停止時脈拍値の取得が遅くなり、停止時脈拍値の取得前に次の変動表示ゲーム（変動表示ゲーム２）が開始したら、生体レベル判定処理（図１５）で判定された生体レベルに基づいて、リーチ態様決定処理（図９）によって、さらに次の変動表示ゲーム（変動表示ゲーム３）の変動表示態様（リーチ態様）が決定され、変動表示ゲーム３が行われる。すなわち、所定時間内であるが、次の変動表示ゲームの開始後に生体情報を検出した場合には、この生体情報に基づいて、次々回の変動表示ゲームのリーチ態様を決定して変動表示ゲームの演出を変更する。
【０１３９】
以上説明したように、演出制御装置１５０において変動停止脈拍検出処理が実行されることによって、前記変動表示ゲームに対応して（変動表示ゲームの終了後の所定時間に）遊技者の生体情報を検出するように制御する生体情報検出制御手段が構成される。
【０１４０】
図１４は、本発明の実施の形態の演出制御装置１５０で実行される基準値設定処理のフローチャートであり、生体情報処理（図１１のＳ１４５）から呼び出されて実行される。
【０１４１】
まず、通常変動フラグ２が”１”であるかによって、検出された停止時脈拍値が通常変動表示ゲームに対応するものであるか否かを判定する（Ｓ１８１）。この判定の結果、通常変動フラグ２が”１”でなければ、変動停止脈拍検出処理（図１２）で検出した停止時脈拍値は通常変動表示ゲームの終了時のものではないので、この基準値設定処理を終了する。
【０１４２】
一方、通常変動フラグ２が”１”であれば、変動停止脈拍検出処理（図１２）で検出した停止時脈拍値は通常変動表示ゲームの終了時のものなので、停止時脈拍値を記憶する記憶領域（通常の演出態様と判定された変動表示ゲームに対応する生体情報を複数記憶する生体情報記憶手段）の脈拍値１〜５のいずれかの領域に記憶して（Ｓ１８２）、脈拍記憶数に１を加算する（Ｓ１８３）。
【０１４３】
そして、脈拍記憶数が”５”であるかによって、脈拍値１〜５の全ての記憶領域に停止時脈拍値が記憶されたか否かを判定する（Ｓ１８４）。この判定の結果、脈拍記憶数が”５”でなければ、脈拍値１〜５のいずれかの記憶領域に停止時脈拍値が記憶されていないので、さらに停止時脈拍値を取得すべく、この基準値設定処理を終了する。
【０１４４】
一方、脈拍記憶数が”５”であれば、脈拍値１〜５の全ての記憶領域に停止時脈拍値が記憶されているので、脈拍値１〜５の記憶領域に記憶された５個の停止時脈拍値の平均を算出し、該平均値を基準値に設定する（Ｓ１８５）。
【０１４５】
そして、基準値設定処理を終了して、生体情報処理（図１１）に戻る。
【０１４６】
以上説明したように、演出制御装置１５０において基準値設定処理が実行されることによって、検出された複数の生体情報を演算した結果に基づいて生体情報の基準値を設定する基準値設定手段が構成される。
【０１４７】
なお、特別な演出態様を除いて通常変動表示ゲームに対応する停止時脈拍値によって基準値を求めるのではなく、特別な演出態様の変動表示ゲーム後の１回又は複数回の通常変動表示ゲームを除いて基準値を求めるようにしてもよい。
【０１４８】
図１５は、本発明の実施の形態の演出制御装置１５０で実行される変化量記憶処理のフローチャートであり、生体情報処理（図１１のＳ１４７）から呼び出されて実行される。
【０１４９】
まず、リーチフラグ２が”１”に設定されているかによって、検出された停止時脈拍値がリーチを伴う変動表示ゲームに対応するものであるか否かを判定する（Ｓ１９１）。この判定の結果、リーチフラグ２が”１”に設定されていなければ、検出された停止時脈拍値がリーチを伴う変動表示ゲームに対応するものではないので、何ら処理をすることなく、この変化量記憶処理を終了して、生体情報処理（図１１）に戻る。
【０１５０】
一方、リーチフラグ２が”１”に設定されていれば、検出された停止時脈拍値がリーチを伴う変動表示ゲームに対応するものなので、脈拍値の変化量を求める（Ｓ１９２）。すなわち、本実施の形態では、脈拍値の変化量は停止時脈拍値と、基準値設定処理（図１４）で設定された基準値との差であることから、停止時脈拍値−基準値を変化量に設定する。
【０１５１】
そして、検出された停止時脈拍値に対応する変動表示ゲームにおけるリーチの種類を判定する（Ｓ１９３）。そして、判定されたリーチの種類に対応する変化量記憶領域に、ステップＳ１９２で求めた変化量を所定の記憶領域に上書きして記憶して（Ｓ１９４）、変化量記憶処理を終了し、生体情報処理（図１１）に戻る。
【０１５２】
以上説明したように、演出制御装置１５０において変化量記憶手段が実行されることによって、検出された生体情報の基準値からの変化量を演出態様に対応して記憶する変化量記憶手段が構成される。すなわち、変化量記憶処理では、前回の（直前に終了した）変動表示ゲームがリーチ変動であった場合に、脈拍値の基準値からの変化量を算出し、該変化量をリーチの種類毎に記憶する。
【０１５３】
図１６は、本発明の実施の形態の変化量記憶処理（図１５）で使用される変化量記憶領域を説明する図である。
【０１５４】
変化量記憶領域はＲＡＭ１５３に設けられており、リーチの種類毎に脈拍値の変化量を記憶する領域が設けられている。例えば、「ノーマルＡの変化量」には、直近のノーマルリーチＡの変動表示が行われたときの脈拍値の変化量が記憶されている。
【０１５５】
図１７は、本発明の実施の形態の演出制御装置１５０で実行される初期化処理のフローチャートであり、生体情報処理（図１１のＳ１４８）から呼び出されて実行される。
【０１５６】
初期化処理では、遊技者が遊技中でないと判定された場合（図１１のＳ１４１）、又は、基準値が不適切と判定された場合（図１１のＳ１４６）に、基準値や変化量記憶領域等のパラメータを初期化する。
【０１５７】
まず、基準値設定処理（図１４のＳ１８５）で設定された基準値をクリアする（Ｓ２０１）。続いて、変化量記憶処理（図１５のＳ１９４）で変化量記憶領域に記憶された変化量をクリアする（Ｓ２０２）。続いて、基準値を設定するのに用いられる停止時脈拍値を記憶するために、脈拍記憶数を”０”にして、脈拍記憶数をクリアし（Ｓ２０３）、脈拍値１〜５の記憶領域に記憶されている停止時脈拍値をクリアする（Ｓ２０４）。続いて、可変表示ゲームカウンタを初期値（例えば、”１００”）に設定する。
【０１５８】
そして、生体レベルを”０”にして、生体レベルを初期化して（Ｓ２０６）、初期化処理を終了し、生体情報処理（図１１）に戻る。
【０１５９】
図１８は、本発明の実施の形態の振り分け率変更処理のフローチャートであり、メイン処理（図７のＳ１０６）から呼び出されて実行される。
【０１６０】
まず、変動表示ゲームカウンタが”０”となっているかによって、所定回数の変動表示ゲームが実行されたか否かを判定する（Ｓ２１１）。この変動表示ゲームカウンタは、振り分け率の変更間隔（振り分け率変更条件）を制御するもので、初期化処理（Ｓ２０５）又は振り分け率変更処理（図１８のＳ２１４）で初期化され、変動表示ゲームが終了する毎に減算され（図１２のＳ１６３）、振り分け率変更処理（図１８のＳ２１１）で所定回数の変動表示ゲームが終了したかの判定に用いられる。この変動表示ゲームカウンタの初期値は、例えば、”１００”として、リーチの種類毎の振り分け率が変動表示ゲーム１００回ごとに変更されるようにする。この間隔は、全種類のリーチが出現し、全てのリーチの種類に対して脈拍値の変化量が記憶されるような変動表示ゲーム回数が選択される。なお、変動表示ゲーム回数ではなく、時間（例えば、１時間）や、リーチ回数（例えば、リーチ変動が１０回）、大当たり回数（大当たりの発生も含む）によって、振り分け率の変更間隔を制御してもよい。
【０１６１】
この判定の結果、変動表示ゲームカウンタが”０”となっていなければ、所定回数の変動表示ゲームが実行されていないので、何ら処理をすることなく振り分け率変更処理を終了し、メイン処理（図７）に戻る。
【０１６２】
一方、変動表示ゲームカウンタが”０”となっていれば、所定回数の変動表示ゲームの実行が終了したので、さらに、各リーチグループ毎の脈拍値の変化量が変化量記憶領域に記憶されているか否かを判定する（Ｓ２１２）。この判定の結果、当該リーチグループ内の一部のリーチ演出の種類に対応する脈拍値の変化量が変化量記憶領域に記憶されていなければ、振り分け率を変更する基準となる脈拍値の変化量のデータの収集が完了していないので、振り分け率を変更することなく、振り分け率変更処理を終了し、メイン処理（図７）に戻る。
【０１６３】
一方、各リーチグループ内の全てのリーチ演出の種類に対応する脈拍値の変化量が変化量記憶領域に記憶されていれば、振り分け率を変更する基準となる脈拍値の変化量のデータの収集が完了しているので、振り分け率を変更して（Ｓ２１３）、変動表示ゲームカウンタを初期値（例えば、”１００”）に設定して（Ｓ２１４）、メイン処理（図７）に戻る。
【０１６４】
この振り分け率の変更は、振り分け率テーブルＢ（図１０（ｂ））において、振り分け率に対応して脈拍値の変化量の順に記憶されているリーチの種類を、最新の脈拍値の変化量に基づいて並べ直して、振り分け率テーブルＢに記憶し直す。すなわち、ノーマルリーチＡに対する脈拍値の変化量が、ノーマルリーチＢに対する脈拍値の変化量よりも大ければ、ノーマルリーチＡとノーマルリーチＢとの順序を入れ替えて、ノーマルリーチＡの振り分け率を２／３にし、ノーマルリーチＢの振り分け率を１／３にする。
【０１６５】
以上説明したように、本発明の実施の形態の振り分け率変更処理では、所定の振り分け率変更条件に基づいて、振り分け率の変更間隔を制御する。これは、遊技者が長時間遊技することにより出現率の高い頻繁に出現するリーチに対して飽きてくるので、所定期間ごとにリーチの出現率を変更することが望ましいからである。
【０１６６】
また、大当たりが導出された変動表示ゲームにおけるリーチ態様の振り分け率を大きくすると、遊技者は大当たりが導出されたリーチ変動がされると、また大当たりが導出されるかもしれないと期待をすることから、該リーチ変動表示に対して興味を持つようになる。
【０１６７】
図１９は、本発明の実施の形態のＶＢＬＡＮＫ処理のフローチャートであり、演出制御装置１５０において１／６０秒毎に発生するＶＢＬＡＮＫ割込に基づいて実行される。
【０１６８】
まず、演出制御装置１５０では、スプライト処理（図７のＳ１０３）において描画処理された画像データを、１／６０秒毎に発生するＶＢＬＡＮＫ割込タイミングで画像表示装置８に転送する（Ｓ２２１）。なお、ＶＢＬＡＮＫ割込タイミングまでにスプライト処理が終了していない場合は前回と同じ画像データが転送される。
【０１６９】
そして、画像データの転送が終了すると、画像転送フラグを”０”にクリアして、転送準備が完了している画像データがないことを示す（Ｓ２２２）。
【０１７０】
図２０は、本発明の実施の形態の通信割込処理のフローチャートであり、演出制御装置１５０において遊技制御装置１００からの表示制御指令信号（表示制御コマンド）を受信したときに実行される。
【０１７１】
まず、演出制御装置１５０では、表示制御コマンドを受信バッファに記憶する受信処理を行う（Ｓ２３１）。
【０１７２】
そして、受信した表示制御コマンドが正しいか否かを判定する（Ｓ２３２）。表示制御コマンドが正規のものであれば、ＲＡＭ１５３に設けられたリングバッファに、受信した表示制御コマンドを記憶する（Ｓ２３３）。一方、表示制御コマンドが正規のものでなければ、受信した表示制御コマンドをリングバッファに記憶することなく破棄する。
【０１７３】
図２１は、本発明の実施の形態のタイマ割込処理のフローチャートであり、演出制御装置１５０において所定時間間隔（例えば、１ミリ秒毎）で実行される。
【０１７４】
まず、演出制御装置１５０では、生体情報センサ５６が検出した生体情報を読み込んで脈拍値を求める生体情報検出処理（図２２）を行う（Ｓ２４１）。そして、遊技中であるかを判定する遊技中検出処理（図２３）を行う（Ｓ２４２）。そして、タイマを更新し、所定時間の経過を待つタイマ処理を行う（Ｓ２４３）。
【０１７５】
図２２は、本発明の実施の形態の演出制御装置１５０で実行される生体情報検出処理のフローチャートである。
【０１７６】
生体情報検出処理は、タイマ割込処理（図２１のＳ２４１）から呼び出されて所定時間間隔（例えば、１ミリ秒毎）で実行され、生体情報センサ５６からの信号を取得し、１回の脈拍時間を測定して１分間の脈拍数を求める処理である。
【０１７７】
まず、生体情報検出処理は、生体情報センサ５６からの信号を取得し、該信号の電圧値をデジタル変換した生体情報を読み込む（Ｓ２５１）。そして、読み込んだ生体情報（電圧値）が判定値より小さいか否かによって、生体情報を検出するタイミングであるかを判定する（Ｓ２５２）。この判定値は予め定められた一定の値に設定したが、生体情報（電圧値）に基づいて設定し直すようにしてもよい。
【０１７８】
この判定の結果、生体情報が判定値より小さければ、次に生体情報が判定値以上となったときを検出するため、判定値フラグを”１”に設定して（Ｓ２５３）、脈拍値を取得することなく、ステップＳ２６１に進む。この判定値フラグは生体情報（電圧値）が判定値を超えた直後であるかを判定をするために使用される。
【０１７９】
一方、生体情報が判定値以上であれば、判定値フラグが”１”であるかによって、生体情報が判定値以上となった直後であるか否かを判定する（Ｓ２５４）。この判定の結果、判定値フラグが”１”でなければ、生体情報が判定値以上となった直後ではないので（ステップＳ２５２において、生体情報≧判定値と判定された後の２回目以後の判定なので）、脈拍値を取得することなく、ステップＳ２６１に進む。
【０１８０】
一方、判定値フラグが”１”であれば、生体情報が判定値以上となった直後（ステップＳ２５２において、生体情報≧判定値と判定された後の１回目の判定）であり、生体情報の立ち上がりが検出されたので、脈拍値を取得する処理（Ｓ２５５〜Ｓ２６０）を行う。
【０１８１】
そして、以後、生体情報が判定値以上となった直後ではない（Ｓ２５４で”Ｎ”）と判定するために、判定値フラグを”０”に設定する（Ｓ２５５）。
【０１８２】
そして、検出中フラグが”１”であるか否かによって、脈拍値が検出可能状態であるかを判定する（Ｓ２５６）。ここで、検出中フラグが”１”であるかを判定しているのは、遊技者が発射ハンドル２４の操作を始めた（再開した）直後には、カウンタ値（時間Ｘ）にはどの時点からの時間がセットされているかが不定であるため、次回の生体情報の立ち上がりから脈拍時間を算出するためである。この検出中フラグは、遊技者が発射ハンドル２４を操作して、遊技者の生体情報が検出されて、初めて生体情報が判定値以上となってから、遊技者の生体情報が検出されなくなる（遊技者が発射ハンドル２４の操作を止める）までの間で設定されるフラグである。
【０１８３】
この判定の結果、検出中フラグが”１”でなければ、発射ハンドル２４の操作開始直後なので、脈拍値を算出することなくステップＳ２５９に進む。一方、検出中フラグが”１”であれば、発射ハンドル２４が継続して操作されているので、カウンタ値（ミリ秒単位の脈拍の周期である時間Ｘ）を、秒単位の脈拍の周期（脈拍時間）に変換して（Ｓ２５７）、１分間の脈拍値を算出する（Ｓ２５８）。
【０１８４】
そして、次の生体情報の立ち上がりが検出されるまでの時間を計測するために、時間Ｘを”０”にリセットする（Ｓ２５９）。そして、脈拍値が検出可能状態であることを示すために、検出中フラグを”１”に設定する（Ｓ２６０）。
【０１８５】
ステップＳ２４１では、脈拍時間（秒単位の脈拍の周期）を算出するためのカウンタ値（時間Ｘ）に１を加算する（Ｓ２６１）。生体情報検出処理を呼び出すタイマ割込処理（図２１）は、１ミリ秒毎に実行されることから、カウンタ値（時間Ｘ）は、１ミリ秒毎に加算されている。
【０１８６】
そして、所定時間（本実施の形態では、１．５秒間）生体情報の立ち上がりが検出されないことを、時間Ｘが１５００を超えたかによって検出する（Ｓ２６２）。すなわち、時間Ｘが１５００より大きいと（脈拍時間が１．５秒以上であると）、１分間の脈拍数が４０回より小さいので、このような低い脈拍数は生じ得ないので、遊技者がハンドル２４から手を離したことを判定する。
【０１８７】
さらに、タッチセンサ２４ａからの信号が検出できるか否かによって、遊技者が遊技中であるか否かを判定する（Ｓ２６３）。
【０１８８】
そして、生体情報の立ち上がりが所定時間検出されず、又は、タッチセンサ２４ａからの信号が検出できなければ、遊技者が遊技中でないと判定し、検出中フラグを”０”にリセットし（Ｓ２６４）、脈拍値を”０”に設定する（Ｓ２６５）。
【０１８９】
そして、生体情報検出処理を終了し、タイマ割込処理（図２１）に戻る。
【０１９０】
以上説明したように、演出制御装置１５０において生体情報検出処理が実行されることによって、生体情報センサ５６によって生体情報が検出されているかを判定する生体情報検出判定手段が構成される。
【０１９１】
図２３は、本発明の実施の形態の演出制御装置１５０で実行される遊技中検出処理のフローチャートであり、遊技中検出処理は、タイマ割込処理（図２１のＳ２４２）から呼び出されて所定時間間隔（例えば、１ミリ秒毎）で実行される。
【０１９２】
まず、タッチセンサ２４ａからの信号が検出できるか否かによって、遊技者が遊技中であるか否かを判定する（Ｓ２７１）。この判定の結果、タッチセンサ２４ａからの信号が検出できれば、遊技中であると判定し、ステップＳ２７５に進む。
【０１９３】
一方、タッチセンサ２４ａからの信号が検出できなければ、さらに、検出中フラグが”１”であるかによって、脈拍が検出されているかを判定する（Ｓ２７２）。この判定の結果、検出中フラグが”１”であれば、脈拍が検出されている（すなわち、遊技中である）と判定し、ステップＳ２７５に進む。
【０１９４】
一方、検出中フラグが”１”でなければ、さらに、変動表示コマンドを受信したかによって、変動表示ゲーム中であるか否かを判定する（Ｓ２７３）。なお、デモ表示コマンドを受信したかによって、変動表示ゲームが中断しているかを判定してもよい。
【０１９５】
この判定の結果、変動表示ゲーム中であれば、遊技中であると判定し、ステップＳ２７５に進む。一方、変動表示ゲーム中でなければ、さらに、特別図柄記憶状態表示器１９の点灯状態から、特別図柄入賞記憶数が”０”であるか（特別図柄入賞記憶が記憶されているか）を判定する（Ｓ２７４）。この判定の結果、特別図柄入賞記憶が記憶されていれば、遊技者は特別図柄入賞記憶に対応する変動表示ゲームを終了するまで遊技を止めないことから、遊技中であると判定し、ステップＳ２７５に進む。
【０１９６】
すなわち、タッチセンサ２４ａからの信号が検出されず、検出中フラグが”０”であり、変動表示ゲーム中ではなく、且つ、特別図柄入賞記憶が記憶されていない場合に、遊技が中断されていると判定し、ステップＳ２７７に進む。一方、タッチセンサ２４ａからの信号が検出され、検出中フラグが”１”であり、変動表示ゲーム中であり、又は、特別図柄入賞記憶が記憶されている場合に、遊技中であると判定し、ステップＳ２７５に進む。
【０１９７】
なお、タッチセンサ２４の出力と検出中フラグとの一方によって判断してもよいし、特別図柄入賞記憶を用いないで判断してもよい。
【０１９８】
その結果、遊技中であると判定された場合には、遊技の中断時間を計測するためのカウンタ値（時間Ｙ）を”０”にリセットし（Ｓ２７５）、遊技中であることを示す遊技中フラグを”１”に設定して（Ｓ２７６）、この遊技中検出処理を終了し、タイマ割込処理（図２１）に戻る。
【０１９９】
一方、遊技中でないと判定された場合には、遊技の中断時間を計測するためのカウンタ値に１を加算して（Ｓ２７７）、時間Ｙが所定時間より大きいかによって、遊技の中断が所定時間継続しているかを判定する（Ｓ２７８）。
【０２００】
この判定の結果、時間Ｙが所定時間より大きければ、遊技の中断が所定時間以上なので、遊技の中断を示すために、遊技中フラグを”０”にリセットして（Ｓ２７９）、この遊技中検出処理を終了し、タイマ割込処理（図２１）に戻る。一方、時間Ｙが所定時間より大きくなければ、遊技の中断が所定時間継続していないので、この遊技中検出処理を終了し、タイマ割込処理（図２１）に戻る。
【０２０１】
このように、遊技者が発射ハンドル２４を操作しておらず、且つ、変動表示ゲームが所定時間行われていない場合に、遊技者が遊技を中断（又は終了）したことを判定するので、遊技の中断を的確に判定することができる。すなわち、変動表示ゲームでリーチ状態になると遊技者は発射ハンドル２４から手を離すことがあり、また、発射ハンドル２４から手を離して、煙草に火をつけたり、飲み物を飲んだり、遊技機の上方に設けられた情報表示装置を操作することがあるので、このような短時間、発射ハンドル２４から手を離しても遊技の中断と判定しないためである。なお、遊技者が煙草を吸うことによって生体情報が変化することがあるので、所定時間を短めにして、短時間でも遊技者が発射ハンドル２４から手を離すと、遊技の中断と判定して、初期化処理（図１７）によって基準値を初期化してもよい。
【０２０２】
以上説明したように、演出制御装置１５０において遊技中検出処理が実行されることによって、変動表示ゲームが実行中か否か判定するゲーム実行中判定手段、及び、発射ハンドル２４が操作されているか判定する操作状態判定手段が構成される。
【０２０３】
次に、本発明の第２の実施の形態について説明する。
【０２０４】
図２４は、本発明の第２の実施の形態の演出制御装置１５０で実行されるリーチ態様決定処理のフローチャートであり、モード分岐処理（図８のＳ１１７）から呼び出されて実行される。また、図２５は、リーチ態様決定処理で使用されるテーブルを説明する図である。なお、第２の実施の形態では前述した第１の実施の形態とリーチ態様決定処理が異なるのみで、他の処理は同一である。
【０２０５】
まず、ＣＰＵ１５１は、遊技制御装置１００から送信された表示制御指令信号に基づいて、どのグループのリーチ演出を行うかを決定する（Ｓ２８１）。そして、変化量記憶領域の記憶内容を検査して、決定されたリーチグループの全ての演出に対応する箇所に（当該リーチグループの全種類のリーチ演出に対応して）脈拍値の変化量が記憶されているか否かを判定する（Ｓ２８２）。
【０２０６】
この判定の結果、決定されたリーチグループの全ての種類のリーチ演出に対応する箇所に脈拍値の変化量が記憶されていれば、振り分け率テーブルＣ（図２５）を選択する（Ｓ２８３）。一方、決定されたリーチグループの一部の種類のリーチ演出に対応する箇所に脈拍値の変化量が記憶されていなければ、リーチ演出の正確な振り分けができないので、脈拍値の変化量が記憶されていない（未だ出現していない）リーチ態様を選択する（Ｓ２８４）。
【０２０７】
そして、振り分け率テーブルに規定された振り分け率に従ってリーチ態様を決定する。又は、ステップＳ２８４において選択されたリーチ態様に決定する（Ｓ２８５）。
【０２０８】
振り分け率テーブルＣは、脈拍値の変化量が大きいほど振り分け率が大きくなるように、各リーチの種類の振り分け率が規定される。例えば、ノーマルリーチのグループにおいては、ノーマルリーチＢの脈拍値の変化量が”５”であり、ノーマルリーチＡの脈拍値の変化量が”３”であるため、ノーマルリーチＢの振り分け率が２／３、ノーマルリーチＡの振り分け率が１／３となるように、振り分け率が規定されている。
【０２０９】
しかし、スペシャルリーチのグループにおいて、スペシャルリーチＡに対応する脈拍値の変化量が記憶されていない。また、スーパースペシャルリーチのグループにおいて、スーパースペシャルリーチＢ及びスーパースペシャルリーチＣに対応する脈拍値の変化量が記憶されていない。すなわち、初期化処理後、一度も、スペシャルリーチＡの変動表示ゲーム、スーパースペシャルリーチＢの変動表示ゲーム、スーパースペシャルリーチＣのいずれの変動表示ゲームも実行されていない。
【０２１０】
よって、第２の実施の形態のリーチ態様決定処理では、これらのリーチの変動表示ゲームに対応する脈拍変化量を早期に記憶するために、これらのリーチ（スペシャルリーチＡ、スーパースペシャルリーチＢ又はスーパースペシャルリーチ）を優先的に選択する。このとき、どのグループのリーチを行うかは、遊技制御装置１００から送信された表示制御指令信号に基づいて決定されるので、リーチ演出がスペシャルリーチであればスペシャルリーチＡが選択され、リーチ演出がスーパースペシャルリーチであれば、所定の乱数によって、スーパースペシャルリーチＢ又はスーパースペシャルリーチのいずれかを選択すればよい。
【０２１１】
以上説明した実施の形態は、遊技者の生体情報に基づいてリーチ演出態様を選択するものであるが、リーチ態様以外にも予告演出態様等を選択して、遊技における演出態様を変更することもできる。
【０２１２】
今回開示した実施の形態は、全ての点で例示であって制限的なものではない。本発明の範囲は上記した発明の説明ではなくて特許請求の範囲によって示され、特許請求の範囲と均等の意味及び内容の範囲での全ての変更が含まれることが意図される。
【産業上の利用可能性】
【０２１３】
以上のように、本発明に係る遊技機は、変動表示ゲームの終了時に遊技者の生体情報を検出し、特に通常の演出態様の変動表示ゲームの終了時の生体情報に基づいて生体情報の基準値を設定し、遊技の中断又は基準値の異常を検出したときに基準値を再度設定するので、遊技者の特性に影響されることなく興趣を高めることができ、遊技者の生体情報によって遊技の演出を変更するパチンコ機（弾球遊技機）、パチコン遊技機、アレパチ遊技機
に適用することができる。
【図面の簡単な説明】
【０２１４】
【図１】本発明の実施の形態の遊技機全体の構成を示す正面図である。
【図２】本発明の実施の形態の遊技機の遊技盤の正面図である。
【図３】本発明の実施の形態の遊技機の遊技制御装置を中心とする制御系のブロック図である。
【図４】本発明の実施の形態の遊技機の演出制御装置のブロック図である。
【図５】本発明の実施の形態の発射ハンドルの斜視図である。
【図６】本発明の実施の形態の発射ハンドルの別な実施例の斜視図である。
【図７】本発明の実施の形態の表示制御のメイン処理のフローチャートである。
【図８】本発明の実施の形態のモード分岐処理のフローチャートである。
【図９】本発明の第１の実施の形態のリーチ態様決定処理のフローチャートである。
【図１０】本発明の第１の実施の形態のリーチ態様決定処理で使用される振り分け率テーブルの説明図である。
【図１１】本発明の実施の形態の生体情報処理のフローチャートである。
【図１２】本発明の実施の形態の変動停止脈拍検出処理のフローチャートである。
【図１３】本発明の実施の形態の生体情報検出のタイミング図である。
【図１４】本発明の実施の形態の基準値設定処理のフローチャートである。
【図１５】本発明の実施の形態の変化量記憶処理のフローチャートである。
【図１６】本発明の実施の形態の変化量記憶処理で使用される変化量記憶領域の説明図である。
【図１７】本発明の実施の形態の初期化処理のフローチャートである。
【図１８】本発明の実施の形態の振り分け率変更処理のフローチャートである。
【図１９】本発明の実施の形態のＶＢＬＡＮＫ処理のフローチャートである。
【図２０】本発明の実施の形態の通信割込処理のフローチャートである。
【図２１】本発明の実施の形態のタイマ割込処理のフローチャートである。
【図２２】本発明の実施の形態の生体情報検出処理のフローチャートである。
【図２３】本発明の実施の形態の遊技中検出処理のフローチャートである。
【図２４】本発明の第２の実施の形態のリーチ態様決定処理のフローチャートである。
【図２５】本発明の第２の実施の形態のリーチ態様決定処理で使用される振り分け率テーブルの説明図である。
【符号の説明】
【０２１５】
１    遊技機
６    遊技盤
８    画像表示装置
２４    発射ハンドル
５６    生体情報センサ
１００    遊技制御装置
１５０    演出制御装置
２００    排出発射制御装置
【図１】
2005052301.tif 000003
【図２】
2005052301.tif 000004
【図３】
2005052301.tif 000005
【図４】
2005052301.tif 000006
【図５】
2005052301.tif 000007
【図６】
2005052301.tif 000008
【図７】
2005052301.tif 000009
【図８】
2005052301.tif 000010
【図９】
2005052301.tif 000011
【図１０】
2005052301.tif 000012
【図１１】
2005052301.tif 000013
【図１２】
2005052301.tif 000014
【図１３】
2005052301.tif 000015
【図１４】
2005052301.tif 000016
【図１５】
2005052301.tif 000017
【図１６】
2005052301.tif 000018
【図１７】
2005052301.tif 000019
【図１８】
2005052301.tif 000020
【図１９】
2005052301.tif 000021
【図２０】
2005052301.tif 000022
【図２１】
2005052301.tif 000023
【図２２】
2005052301.tif 000024
【図２３】
2005052301.tif 000025
【図２４】
2005052301.tif 000026
【図２５】
2005052301.tif 000027